(57)【要約】      （修正有）【課題】ファンと蚊取りの機能を兼ねる蚊取りファン構造を提供する。【解決手段】ファン本体１０と、照明モジュール２０とを含む。該ファン本体１０に環状ハウジング１１と、羽根１５とが設けられ、該環状ハウジング１１の後側が空気流入端である。該照明モジュール２０は、該ファン本体１０の空気流入端に設けられており、かつ発光体２１を含み、該発光体２１からの光源は、該ファン本体１０の空気流入端を取り囲むことができる。該発光体２１は蚊や虫の近接を引き付ける光を発することができ、蚊や虫は、空気流入端の負圧気流によって吸入され、回転する羽根１５によって滅ぼされ、蚊取りの作用を奏することができる。【選択図】図１
0003202069.tif 000002
【実用新案登録請求の範囲】
【請求項１】
環状ハウジングを有し、環状ハウジングの下端に台座セットが設けられ、環状ハウジングの後端に後網カバーとモータとが設けられ、該モータのモータ軸先端に羽根が取り付けられ、該環状ハウジングの後側が空気流入端であるファン本体と、
発光体を有し、該発光体が複数の係止部材によりファン本体と連結され、該発光体からの光源が該ファン本体の空気流入端を取り囲む照明モジュールと、
を含み、
該羽根の回転時に気流が発生し、空気放出放熱として機能し、該照明モジュールの発光体は蚊や虫の近接を引き付ける光を発することで、蚊や虫が空気流入端の負圧気流によって吸入され、回転する羽根によって滅ぼされることを特徴とする蚊取りファン構造。
【請求項２】
該環状ハウジングの後端の内周に内方へ傾斜する導流環状シートが設けられることで、該羽根の回転送風時に風力がより強く、集中的かつ安定的になることを特徴とする請求項１に記載の蚊取りファン構造。
【請求項３】
該環状ハウジングの下端に切欠が設けられ、該切欠の下方両側及び末端に収集ケース取り付け用の嵌溝が設けられ、該収集ケースの頂部開口が該切欠に対応していることを特徴とする請求項１に記載の蚊取りファン構造。
【請求項４】
該環状ハウジングの先端の周囲に前カバー網結合用の複数の係止部材が設けられ、該前カバー網が該環状ハウジングの前側を被覆していることを特徴とする請求項１に記載の蚊取りファン構造。
【考案の詳細な説明】
【技術分野】
【０００１】
本考案は、ファンに関し、特に蚊を滅ぼす機能を兼ねる蚊取りファン構造に関するものである。
【背景技術】
【０００２】
従来、ファンは、本体と、本体に設けられ、軸心に羽根が設けられたモータとを含む。モータが羽根の回転を駆動することにより、空気放出放熱として機能する。従来のファンの機能は単一であるため、製品革新の流れに追従することができない。また、一般の生活環境のなかで、人は蚊に刺された場合、皮膚に腫れ、痛み、アレルギー、痒みが起きるほか、疾病になる可能性もあり、莫大な被害をもたらすことになる。現在、蚊の撲殺については、蚊取り灯の設置が一般的である。しかしながら、灯光により蚊や虫を引き付ける蚊取り灯は、隅に置き、蚊や虫が自ら飛んでくるのを静止状態の方法で待つものであり、効果が極めて限られている。
【０００３】
市販のファン及び蚊取り灯は、それぞれ独立した機能を有し、それらが統合された製品はいまだに現れていない。従って、ファンと蚊取り灯の機能が統合された製品を提供できれば、市場に創造や励ましの作用が発生し、これも本考案が研究開発している動機である。
【考案の概要】
【考案が解決しようとする課題】
【０００４】
そこで、本考案は、ファンと蚊取りの機能を兼ねて、製品のマルチ利用及び新規創造の効果を奏する蚊取りファン構造を提供することを目的とする。
【課題を解決するための手段】
【０００５】
本考案に係る蚊取りファン構造は、ファン本体と、照明モジュールとを含み、該ファン本体は、一般のファン構造を構築基礎とし、該照明モジュールは少なくとも１つの発光体を含む。該ファン本体には、環状ハウジング及び導流環状シートが設けられ、該環状ハウジングの下端に蚊の死体を収容する収容ケースが設けられている。さらに、該ファン本体の後網カバーには、該発光体をファン本体の空気流入端に固定するための複数の係止部材が設けられている。該照明モジュールが作動している場合、該発光体は、蚊や虫の近接を引き付ける光を発することができ、蚊や虫は、空気流入端の負圧気流によって吸入され回転される羽根の回転により滅ぼされ、蚊を滅ぼす効果を奏することができる。
【考案の効果】
【０００６】
本考案に係る蚊取りファン構造によれば、空気放出放熱及び蚊取りの機能を兼ねるとともに、一般の照明ライト、常夜灯しても使用可能である。
【図面の簡単な説明】
【０００７】
【図１】本考案に係る蚊取りファン構造の立体図である。
【図２】本考案に係る図１の蚊取りファン構造の側面構造図である。
【図３】本考案に係るファン本体及び前網カバーの分解図である。
【図４】図３のファン本体と前網カバーとの組み合わせ図である。
【図５】図１の蚊取りファン構造の使用状態参照図である。
【図６】本考案に係る他の実施例の蚊取りファン構造の立体図である。
【図７】図６の蚊取りファン構造の側面構造図である。
【考案を実施するための形態】
【０００８】
図１ないし図４に示すように、本考案に係る蚊取りファン構造は、ファン本体１０と、照明モジュール２０とを含む。ファン本体１０は、台座セット１２と、台座セット１２に設けられた環状ハウジング１１とを含む。環状ハウジング１１の後側には、後網カバー１３とモータ１４とが設けられている。モータ１４のモータ軸の先端に羽根１５が装着されており、モータ１４が羽根１５の回転を駆動することで気流が生成され、環状ハウジング１１の後側は空気流入端である。後網カバー１３の網目は、ユーザの指がファンの中に入れて羽根１５に接触することで危険が生じることを回避するために、適当な隙間があるように構成されている。
【０００９】
環状ハウジング１１の下端には切欠１６が設けられており、該切欠１６の下方の両側及び終端には、収集ケース１８が挿入装着される嵌溝１７が設けられている。収集ケース１８が嵌溝１７に固定された後、収集ケース１８の頂部開口は切欠１６に対応している。
【００１０】
環状ハウジング１１の後端の内周には内方へ傾斜する導流環状シート１９が設けられており、環状ハウジング１１及び導流環状シート１９の設置により、環状ハウジング１１は、風箱と類似する機能が作用することで、羽根１５の回転送風の際に、風力はより強く、集中的かつ安定的になる。
【００１１】
環状ハウジング１１の先端周囲には、全カバー式前カバー網３０が結合される複数の係止部材１１１が設けられている。前カバー網３０が環状ハウジング１１の前側面積を被覆することにより、保護、洗浄や部品交換の容易化の効果を奏することができる。
【００１２】
照明モジュール２０は、少なくとも１つの発光体２１を含む。複数の係止部材２２により発光体２１とファン本体１０とが接続されることにより、発光体２１からの光源はファン本体１０の空気流入端を取り囲むことができる。発光体２１は、蚊や虫の近接を引き付ける光を発するのが好ましい（例えば波長３６０ｎｍである紫外線）。
【００１３】
係止部材２２は、ファン本体１０の後網カバー１３に設けられており、係止部材２２の係止作用により発光体２１を固定することができる。さらに、発光体２１の外側面には、発光体２１を保護する網状カバー（図示せず）が取り付けられてもよい。
【００１４】
図５に示すように、本考案に係る蚊取りファン構造は、使用上、台座セット１２によってファン本体１０が地面に強固に載置可能である。電源が投入された後、モータ１４は、羽根１５の回転を駆動し、気流を生成させ、空気放出放熱として機能する。照明モジュール２０の発光体２１が起動すると、発光体２１は、蚊や虫の近接を引き付ける光を発する。蚊や虫が近接すると、空気流入端の負圧気流によって吸入され、高速に回転される羽根１５によって滅ぼされる可能性が極めて高い。羽根１５の回転によって滅ぼされる蚊の死体は、環状ハウジング１１に沿って切欠１６に落下し、収集整理のために収集ケース１８内に落下する。
【００１５】
図６及び図７に示すように、この実施例において、ファン本体１０は、方形の環状ハウジング１１を有し、環状ハウジング１１の下端の台座セット１２には蚊取りファン全体が強固に載置される。環状ハウジング１１の後端には、後網カバー１３と、モータ１４と、羽根１５とが設けられ、照明モジュール２０の発光体２１は、環状ハウジング１１の周縁に配置され、環状ハウジング１１の下方には蚊の死体を収集する収集ケース１８が設けられている。照明モジュール２０は、蚊や虫の近接を引き付ける光を発すことができる。蚊や虫が近接すると、空気流入端の負圧気流によって吸入され、高速に回転する羽根１５によって滅ぼされる可能性が極めて高い。
【００１６】
本考案に係る蚊取りファン構造は、以下の効果を奏することができる。
１、 照明モジュール２０の発光体２１が起動した場合、蚊や虫の近接を引き付けることができ、空気流入端の気流により蚊や虫を吸入することで、高速に回転する羽根１５によって滅ぼされ、蚊取りの作用を奏する。
２、 照明モジュール２０は、蚊や虫の近接を引き付けるほか、ファン本体１０の停止時に起動され、一般の照明ライト、常夜灯として使用される。
３、 環状ハウジング１１の下端の収集ケース１８には、ユーザによって容易に収集整理されるために、蚊の死体が収集されている。
４、 モータ１４によって羽根１５の回転が駆動された場合、環状ハウジング１１自体及び導流環状シート１９の設置により、環状ハウジング１１は風箱と類似する機能が作用することで、風力はより強く、集中的かつ安定的に前方へ送出することができる。
５、 係止部材１１１により環状ハウジング１１と前カバー網３０とが結合されることで、蚊取りの目的を達成するとともに、洗浄または部品の交換を容易に行うことができる。
【００１７】
本考案に係る蚊取りファン構造によれば、送風放熱及び蚊取りの作用を兼ねており、実際にテストされた結果、蚊取りの効果が優れている。また、本考案は、ファンと蚊取り設備とがコンパクトに一体化されることで、利便性と実用性とを有する。さらに、本考案に係るファン本体の形式は、ファン形状またはファン機能に限定されるものではなく、各種のファン構造に広義的に取り入れられるべきである。
【００１８】
以上のように、本考案では、環状ハウジングを有し、環状ハウジングの下端に台座セットが設けられ、環状ハウジングの後端に後網カバーとモータとが設けられ、該モータのモータ軸先端に羽根が取り付けられ、該環状ハウジングの後側が空気流入端であるファン本体と、発光体を有し、該発光体が複数の係止部材によりファン本体と連結され、該発光体からの光源が該ファン本体の空気流入端を取り囲む照明モジュールと、を含み、該羽根の回転時に気流が発生し、空気放出放熱として機能し、該照明モジュールの発光体は蚊や虫の近接を引き付ける光を発することで、蚊や虫が空気流入端の負圧気流によって吸入され、回転する羽根によって滅ぼされることを特徴とする蚊取りファン構造とするものである。
【００１９】
また、該環状ハウジングの後端の内周に内方へ傾斜する導流環状シートが設けられることで、該羽根の回転送風時に風力がより強く、集中的かつ安定的になるものとする。
【００２０】
また、該環状ハウジングの下端に切欠が設けられ、該切欠の下方両側及び末端に収集ケース取り付け用の嵌溝が設けられ、該収集ケースの頂部開口が該切欠に対応しているものとする。
【００２１】
また、該環状ハウジングの先端の周囲に前カバー網結合用の複数の係止部材が設けられ、該前カバー網が該環状ハウジングの前側を被覆しているものとする。
【産業上の利用可能性】
【００２２】
本考案に係る蚊取りファン構造によれば、空気放出放熱及び蚊取りの機能を兼ねるとともに、一般の照明ライト、常夜灯しても使用可能である。
【符号の説明】
【００２３】
１０  ファン本体
１１  環状ハウジング
１１１  係止部材
１２  台座セット
１３  後網カバー
１４  モータ
１５  羽根
１６  切欠
１７  嵌溝
１８  収集ケース
１９  導流環状シート
２０  照明モジュール
２１  発光体
２２  係止部材
３０  前カバー網
【図１】
0003202069.tif 000003
【図２】
0003202069.tif 000004
【図３】
0003202069.tif 000005
【図４】
0003202069.tif 000006
【図５】
0003202069.tif 000007
【図６】
0003202069.tif 000008
【図７】
0003202069.tif 000009